(57)【特許請求の範囲】
【請求項１】
ヘルメットの帽体と該帽体内部で人頭に接するハンモックとを連結するためのヘルメット用ハンモックの連結構造であって、
前記ハンモックが備える放射状に延びる複数の脚部の先端に設けられた掛止具と、前記帽体の内面に設けられて前記掛止具を着脱自在に掛止する受け部とからなり、
前記受け部は、前記帽体の内面の周方向に所定の距離を存して並設されて前記掛止具を掛止させたときに該掛止具の前記帽体における周方向への移動を規制する一対の規制凸部と、両規制凸部の間に配設された係止凸部と、該係止凸部の上面に形成されて前記掛止具を係止させる上向きの係止面と、該係止面の内側端縁から下方に延設されて前記掛止具を所定の上動位置で停止させる停止部と備え、
前記掛止具は、両規制凸部の間を上下方向に摺動する摺動部と、該摺動部により上方の所定位置まで摺動したとき、前記受け部の前記係止面に着脱自在に係止する係止爪と、前記停止部を挟み込む挟込片とを備え、
前記帽体へ向かって突出した前記係止爪が前記係止面に係止されると共に前記挟込片が前記停止部を挟み込んで、前記帽体と前記ハンモックとが連結されることを特徴とするヘルメット用ハンモックの連結構造。
【請求項２】
前記掛止具は、前記係止爪が前記受け部の前記係止面に係止したとき、前記受け部の前記規制凸部の上端に当接して該掛止具の下動を規制する押さえ部を備えることを特徴とする請求項１記載のヘルメット用ハンモックの連結構造。
【発明の詳細な説明】
【技術分野】
【０００１】
本発明は、ヘルメットの帽体にハンモックを連結するために採用されるヘルメット用ハンモックの連結構造に関する。
【背景技術】
【０００２】
ヘルメットの帽体の内部には、人頭に接するハンモックが取り付けられる。ハンモックは、頭頂部から放射状に延びる複数の脚部を備え、ハンモックの脚部の先端部を帽体の下縁側の内面に連結することによって、ヘルメットの帽体の内部に固定される。
【０００３】
従来、ヘルメットの帽体とハンモックとを連結する構造として、ハンモックの脚部の先端に設けた掛止具を、帽体の内面に設けた受け部に掛止するものが知られている（特許文献１参照）。
【先行技術文献】
【特許文献】
【０００４】
【特許文献１】特開２００１−２６２４２５号公報（図２）
【発明の概要】
【発明が解決しようとする課題】
【０００５】
ところで、ハンモックは、帽体内部から不用意に外れることのないよう、帽体への連結状態を強固とする必要がある。一方、ハンモックは、帽体内部で人頭に接することでヘルメットの着用状態を安定させると共に、帽体外部から付与される衝撃を吸収緩和して人頭を保護する作用を得るためのものであるため、定期的に、或いは、劣化や異常が生じた際に、新しいものに交換することが行われる。
【０００６】
しかし、特許文献１に示される連結構造では、連結状態を強固とすると、掛止具を受け部から取り外す作業が困難となる不都合がある。
【０００７】
上記の点に鑑み、本発明は、帽体へのハンモックの連結状態を確実に維持することができるだけでなく、帽体からのハンモックの取り外しを容易に行うことができるヘルメット用ハンモックの連結構造を提供することを目的とする。
【課題を解決するための手段】
【０００８】
かかる目的を達成するために、本発明は、ヘルメットの帽体と該帽体内部で人頭に接するハンモックとを連結するためのヘルメット用ハンモックの連結構造であって、前記ハンモックが備える放射状に延びる複数の脚部の先端に設けられた掛止具と、前記帽体の内面に設けられて前記掛止具を着脱自在に掛止する受け部とからなり、前記受け部は、前記帽体の内面の周方向に所定の距離を存して並設されて前記掛止具を掛止させたときに該掛止具の前記帽体における周方向への移動を規制する一対の規制凸部と、両規制凸部の間に配設されて前記掛止具を係止させる上向きの係止面とを備え、前記掛止具は、両規制凸部の間を上下方向に摺動する摺動部と、該摺動部により上方の所定位置まで摺動したとき、前記受け部の前記係止面に着脱自在に係止する係止爪とを備えることを特徴とする。
【０００９】
かかる目的を達成するために、本発明は、ヘルメットの帽体と該帽体内部で人頭に接するハンモックとを連結するためのヘルメット用ハンモックの連結構造であって、
前記ハンモックが備える放射状に延びる複数の脚部の先端に設けられた掛止具と、前記帽体の内面に設けられて前記掛止具を着脱自在に掛止する受け部とからなり、
前記受け部は、前記帽体の内面の周方向に所定の距離を存して並設されて前記掛止具を掛止させたときに該掛止具の前記帽体における周方向への移動を規制する一対の規制凸部と、両規制凸部の間に配設された係止凸部と、該係止凸部の上面に形成されて前記掛止具を係止させる上向きの係止面と、該係止面の内側端縁から下方に延設されて前記掛止具を所定の上動位置で停止させる停止部と備え、
前記掛止具は、両規制凸部の間を上下方向に摺動する摺動部と、該摺動部により上方の所定位置まで摺動したとき、前記受け部の前記係止面に着脱自在に係止する係止爪と、前記停止部を挟み込む挟込片とを備え、
前記帽体へ向かって突出した前記係止爪が前記係止面に係止されると共に前記挟込片が前記停止部を挟み込んで、前記帽体と前記ハンモックとが連結されることを特徴とする。
【００１０】
更に、ハンモックが帽体に連結されているとき、受け部の規制凸部が掛止具の移動を規制していることにより、衝撃等の影響で受け部と掛止具との間に相対的に異なる方向に大きな力が掛けられても、受け部からの掛止具の外れが防止でき、帽体へのハンモックの連結状態を確実に維持することができる。
【００１１】
帽体からハンモックを取り外すときには、掛止具の係止爪による受け部への係止を解除する。これにより、掛止具の摺動部が両規制凸部間に沿って摺動自在となり、掛止具を下方（帽体の頭頂部と反対方向）に移動させるだけで、帽体からハンモックを取り外すことができる。
【００１２】
このように、本発明の連結構造によれば、帽体へのハンモックの連結状態を確実に維持することができるだけでなく、帽体からのハンモックの取り外しを容易に行うことができる。
【００１３】
また、本発明においては、前記掛止具は、前記係止爪が前記受け部の前記係止面に係止したとき、前記受け部の前記規制凸部の上端に当接して該掛止具の下動を規制する押さえ部を備えることが好ましい。
【００１４】
これによれば、受け部の係止面に掛止具の係止爪が係止状態となったとき、更に、押さえ部材が規制凸部の上端に当接して掛止具の下動を規制するので、受け部における掛止具の掛止状態が一層強固となり、帽体へのハンモックの連結状態を一層確実に維持することができる。
【図面の簡単な説明】
【００１５】
【図１】本発明の実施形態のヘルメットを底面視して帽体へのハンモックの連結構造を示す説明図。
【図２】本実施形態の受け部の斜視図。
【図３】本実施形態の受け部の底面図。
【図４】本実施形態の掛止具の斜視図。
【図５】受け部の案内孔に掛止具の第１挿入部が挿入した状態を示す説明的断面図。
【図６】受け部の停止部の穴に掛止具の第２挿入部が挿入した状態を示す説明的断面図。
【発明を実施するための形態】
【００１６】
本発明の一実施形態を図面に基づいて説明する。図１に示すように、ヘルメットの帽体１の内部には、ハンモック２が取り付けられる。帽体１は硬質材料により形成されている。ハンモック２は、図示しないヘッドバンドと共にヘルメットの着装体を構成し、帽体１の内部で人頭に接することにより、ヘルメットの着用状態を安定させると共に、帽体１に受けた衝撃を吸収緩和して人頭を保護する作用を有している。
【００１７】
ハンモック２は、頭頂から放射状に延びる複数の脚部３を備えている。各脚部３の先端には、掛止具４が設けられている。
【００１８】
ハンモック２は、合成樹脂（例えば低密度ポリエチレン等）を材料とする一体成型により形成され、これによって、脚部３と掛止具４とは一体に形成されている。なお、掛止具４を別体として、脚部３の先端に接着等により後付けしてもよい。
【００１９】
掛止具４は、帽体１の内面に設けられた受け部５に掛止することにより、ハンモック２を帽体１の内部に連結する。受け部５は、帽体１の内面に複数（本実施形態では４つ）設けられている。
【００２０】
各受け部５は、図２及び図３に示すように、突出する一対の規制凸部６と、両規制凸部６の間に形成された係止凸部７とによって構成されている。
【００２１】
規制凸部６には、上下方向に貫通する案内孔８と、両規制凸部６の互いに対向する側面をスリット状に開放した案内溝９とが形成されている。
【００２２】
係止凸部７には、掛止具４を係止させる上向きの係止面１０と、掛止具４を案内溝９に沿った所定の上動位置で停止させるための停止部１１とが形成されている。停止部１１は、図３に示すように下方が開放された穴状に形成されている。
【００２３】
なお、受け部５は、帽体と一体成型されていてもよく、また、図示しないが、帽体１と別体として帽体１を貫通して固定される構成を採用してもよい。
【００２４】
掛止具４は、図４及び図５に示すように、受け部５の一対の案内孔８に挿入される一対の第１挿入部１２と、両第１挿入部１２の間に位置して受け部５の両規制凸部６間を摺動する摺動部１３とを備えている。摺動部１３と第１挿入部１２との間には、案内溝９に沿って上下方向に摺接案内される案内部１３ａが設けられている。
【００２５】
更に、掛止具４は、図４及び図６に示すように、受け部５の停止部１１の穴に挿入する第２挿入部１４（本発明の挟込片に相当する）と、第２挿入部１４の外周に位置して停止部１１に当接する当接部１５と、当接部１５が停止部１１に当接したとき、受け部５の係止凸部７の上面の係止面に着脱自在に係止する係止爪１６と、係止爪１６が係止面１０に係止したとき、受け部５の規制凸部６の上端に当接して掛止具４の下動を規制する押さえ部１７とを備えている。
【００２６】
図２及び図４を参照して、受け部５に掛止具４を掛止させるときには、先ず、受け部５の規制凸部６に形成されている案内孔８に、掛止具４の第１挿入部１２を挿入し、掛止具４を規制凸部６に沿って上方に（帽体１の頭頂に向かう方向に）移動させる。
【００２７】
これにより、掛止具４の案内部１３ａが受け部５の案内溝９に案内されて摺動部１３が両規制凸部６間を上方に摺動すると、受け部５の停止部１１に掛止具４の第２挿入部１４が挿入し、更に当接部１５が停止部１１に当接して、掛止具４の移動が停止する。
【００２８】
そして、図６に示すように、掛止具４の係止爪１６が、受け部５の係止面１０に係止され、同時に、図５に示すように、掛止具４の押さえ部１７が受け部５の規制凸部６の上端に当接する。これにより、掛止具４は、受け部５の一対の規制凸部６間に挟まれるようにして掛止状態となる。
【００２９】
以上のように、掛止具４を両規制凸部６間に沿って移動させるだけで、帽体１とハンモック２とを容易に連結することができる。更に、受け部５の規制凸部６が掛止具４の移動を規制していることにより、帽体１外部からの衝撃等の影響で、帽体１の周方向に沿って掛止具４に大きな力が掛けられても、受け部５から掛止具４が外れることがなく、帽体１へのハンモック２の連結状態を確実に維持することができる。そして、帽体１からハンモック２を取り外すときには、掛止具４の係止爪１６による受け部５への係止解除と同時に規制凸部６の上端から押さえ部１７の当接を解除させるだけで、掛止具４の案内部１３ａが案内溝９に沿って案内された状態で摺動部１３が規制凸部６間を摺動自在となり、掛止具４を下方（帽体１の頭頂部と反対方向）に移動させることによって、帽体１からハンモック２を容易に取り外すことができる。
【００３０】
なお、本実施形態においては、４本の脚部３を備えるハンモック２を挙げて説明したが、ハンモック２の脚部３の数はこれに限るものではない。
【符号の説明】
【００３１】
１…帽体、２…ハンモック、３…脚部、４…掛止具、５…受け部、６…規制凸部、１０…係止面、１３…摺動部、１４…第２挿入部（挟込片）、１６…係止爪、１７…押さえ部。
【図１】
0006348464.tif 000002
【図２】
0006348464.tif 000003
【図３】
0006348464.tif 000004
【図４】
0006348464.tif 000005
【図５】
0006348464.tif 000006
【図６】
0006348464.tif 000007